(57)【特許請求の範囲】
【請求項１】
個人の指紋情報、作業日時、個人の氏名・識別番号の属性情報、登録した指の情報及び照合対象物（７０）の情報を二次元バーコード形式に変換する手段（Ｂ）として、装置本体（１１）を有し、
前記患者個人の指紋の読み取り手段（Ａ）、及び該患者個人の指紋と照合対象物に貼り付けた二次元バーコード化された指紋情報の照合手段（Ｅ）として、指紋照合ユニット（２１）を有し、
前記二次元バーコードの印刷手段（Ｃ）、及び前記指紋の照合の印刷手段（Ｆ）として、ラベルプリンタ（４１）を有し、
前記二次元バーコードラベルの読み取り手段（Ｄ）として、コードスキャナ（１２）を有し、
前記装置本体（１１）は、前記コードスキャナ（１２）、表示部（１３）、記憶部（１４）、及び通信用部材（１６）を有し、
前記表示部（１３）は、作業者の命令の入力、指紋情報の読み取り、二次元バーコードラベルの読み取り、読み取った指紋情報同士の照合、ラベルの印刷命令、前記装置本体（１１）及び作業者の入力ミスによるエラー状態の表示、作業者の命令及び確認の受け取り、の作業をすることができ、
前記記憶部（１４）は前記装置本体（１１）内で動作するシステムを記憶し、当該システムが行った作業全てを作業記録として記憶し、
前記通信用部材（１６）は、無線または有線により、前記ラベルプリンタ（４１）、前記装置本体（１１）と別の装置本体（１１）、及び作業管理データベース（５１）、と通信を行うことができ、
前記指紋照合ユニット（２１）は、前記装置本体（１１）からの命令により、
〈Ａ〉指紋登録時には、個人の指紋の読み取りを行い、読み取った指紋情報を暗号化し、前記装置本体（１１）に送信し、
〈Ｂ〉照合時には、前記二次元バーコード化された個人の指紋情報を、前記装置本体（１１）から受け取り、暗号を解読し、前記〈Ａ〉の新たに読み取った個人の指紋情報と照合し、当該照合した結果を、前記装置本体（１１）に返信し、
前記ラベルプリンタ（４１）は、無線または有線により、前記装置本体（１１）と交信し、
〈ａ〉前記二次元バーコード、個人の氏名・識別番号の属性情報、登録した指の情報、を記載したラベル、
〈ｂ〉前記照合結果、作業日時、を記載したラベル、
の印刷を行い、
指紋登録作業において、
〈Ａ１−１〉作業者識別番号が記録された作業者ラベル（７４）のバーコードを装置本体（１１）に内蔵されたコードスキャナ（１２）を使用して読み取り、作業者を登録するステップ、または当該ステップ〈１−１〉に代えて、
〈Ａ１−２〉前記装置本体（１１）の表示部（１３）にキーを配置し、当該表示部（１３）に前記作業者識別番号を手入力するステップ、
〈Ａ２〉患者個人の指紋（７１）を指紋照合ユニット（２１）により取り込むステップ、
〈Ａ３〉前記〈２〉の指紋情報を指紋照合ユニット（２１）から装置本体（１１）に転送するステップ、
〈Ａ４−１〉前記作業管理用データベース（５１）に登録された患者個人の情報として、患者氏名、識別番号、性別、生年月日等を文字と二次元バーコードで記した書式を、前記作業管理用データベース（５１）に接続されたプリンタ（６２）より印刷し、当該印刷した二次元バーコードを前記装置本体（１１）に内蔵されたコードスキャナ（１２）で読み取り、患者の個人情報を取得するステップ、または当該ステップ〈Ａ４−１〉に代えて、
〈Ａ４−２〉装置本体（１１）の表示部（１３）に患者の属性を入力できる欄を表示し、作業者の指ないし棒状の治具を使用して患者の個人情報を取得するステップ、または前記ステップ〈Ａ４−１〉、〈Ａ４−２〉に代えて、
〈Ａ４−３〉前記装置本体（１１）の表示部（１３）に、登録を行った指を指定するボタンを表示しておき、作業者が登録を行った指を確認して入力するステップ、
〈Ａ５〉前記装置本体（１１）で、前記指紋情報と患者の個人情報および登録した指の情報を二次元バーコード形式に変換して、前記ラベルプリンタ（４１）で二次元バーコードラベル（７２）として印刷するステップ、
〈Ａ６〉前記二次元バーコードラベル（７２）を照合対象物（７０）に貼り付けるステップ、
以上の〈Ａ１〉から〈Ａ６〉のステップを行うことができ、
指紋照合作業において、
〈Ｂ１−１〉作業者識別番号が記録された作業者ラベル（７４）のバーコードを前記装置本体（１１）の前記コードスキャナ（１２）で読み取り、作業者を登録するステップ、または当該ステップ〈Ｂ１−１〉に代えて、
〈Ｂ１−２〉前記装置本体（１１）の表示部（１３）にキーを配置し、当該表示部（１３）で前記作業者識別番号を手入力するステップ、
〈Ｂ２〉前記指紋登録作業で、前記照合対象物（７０）に貼り付けた二次元バーコードラベル（７２）を前記装置本体（１１）の前記コードスキャナ（１２）で読み取るステップ、
〈Ｂ３〉取得した情報の中から指紋情報を前記指紋照合ユニット（２１）に転送するステップ、
〈Ｂ４〉患者個人の指紋を前記指紋照合ユニット（２１）に取り込んで、二次元バーコードより取得した指紋情報と照合するステップ、
〈Ｂ５〉指紋照合結果を前記指紋照合ユニット（２１）から前記装置本体（１１）に転送するステップ、
〈Ｂ６〉前記装置本体（１１）に取得された照合結果は、その時点の日時、作業を行った作業者等の事項を付加して文字形式で前記ラベルプリンタ（４１）で、照合結果ラベル（７３）として印刷するステップ、
以上の〈Ｂ１〉から〈Ｂ６〉のステップを行うことができる、
ことを特徴とする個人識別装置（１）。
【請求項２】
前記装置本体（１１）、前記指紋照合ユニット（２１）、及び前記ラベルプリンタ（４１）は、それぞれバッテリー（１５、２５、４５）を内蔵することを特徴とする請求項１に記載の個人識別装置（１）。
【請求項３】
前記装置本体（１１）、前記ラベルプリンタ（４１）、及び前記作業管理用データベース（５１）は、それぞれ相互に無線で通信できる通信用部材（１６、４６、５６）を内蔵することを特徴とする請求項１または請求項２に記載の個人識別装置（１）。
【請求項４】
前記請求項１から請求項３のいずれか１項に記載の個人識別装置（１）を用いて、
〈１〉複数の照合対象物（７０）に貼り付けた複数の二次元バーコードラベル（７２）を、全て前記コードスキャナ（１２）により読み込むステップ、
〈２〉読み取った全ての前記複数の照合対象物（７０）のそれぞれの二次元バーコードラベル（７２）の情報が、全て同一人物のものであるか否かを、前記装置本体（１１）で照合するステップ、
〈３〉照合が一致しないものが少なくとも１つ以上存在する場合は、
〈３ａ１〉警告音を鳴らすステップ、もしくは当該ステップ〈３ａ１〉に代えて、
〈３ａ２〉前記表示部（１３）に警報を表示し、作業者に報知するステップ、または前記ステップ〈３ａ１〉、〈３ａ２〉に代えて、
〈３ｂ〉前記二次元バーコードラベル（７２）の情報の中から識別番号、名前、登録している指等の一致しない情報を抽出して前記表示部（１３）に表示させることにより、作業者にどの照合対象物が一致しているか否か、他に幾つ一致しないものがあるかを知らせるステップ、
〈４〉前記複数の二次元バーコードラベル（７２）の照合結果が一致していることを確認して、読み取られた複数の中から１つだけ選抜した二次元バーコードラベル（７２）の情報の中から指紋情報を取得し、前記指紋照合ユニット（２１）に転送するステップ、
〈５〉患者個人の指紋（７１）を前記指紋照合ユニット（２１）に取り込んで、前記二次元バーコードラベル（７２）より取得した指紋情報と照合するステップ、
〈６〉前記指紋照合結果を前記指紋照合ユニット（２１）から前記装置本体（１１）に転送するステップ、
〈７〉前記装置本体（１１）に取得された照合結果は、照合時の日時、作業を行った作業者、識別番号等の事項を付加して文字形式で、前記ラベルプリンタ（４１）で、照合結果ラベル（７３）として印刷するステップ、
以上のステップ〈１〉〜〈７〉を含むことを特徴とする個人識別情報の照合方法。
【発明の詳細な説明】
【０００１】
【発明の属する技術分野】
本発明は、二次元バーコード化した個人データを識別する個人識別装置の改良に関するものであり、全体的に小型化して携帯できるようにした個人識別装置である。
また本発明は個人識別情報の照合方法において、例えば指紋照合ユニット等のセンサーによって個人の指紋を読み取り、個人の属性や作業日時、登録した指などの情報と共に二次元バーコード形式にして、個人と照合対象物（例えば血液バッグ、カルテなど）に貼付した後、再び指紋と照合する作業を改善する発明に関するものである。
【０００２】
【従来の技術及び発明が解決しようとする課題】
出願人は、特開平８−７１１４８号、特開平９−７０３９８号に、個人識別装置を開示した。これらの個人識別装置は、患者データの登録手段、読み取り手段、照合手段を、各ホストコンピュータ、端末機（パソコン）等により構成し管理室、採血室、手術室の各室毎に配置していたので、全体的に装置が大型化し、各ホストコンピュータ、端末機（パソコン）に電源コード等が必要なため、持ち運び、移動が困難であった。
【０００３】
また従来の個人識別情報の照合方法では、図６に示すように、
登録作業において、個人の指紋情報１７１およびその他の情報を二次元バーコード形式に変換し、血液バッグ等の照合対象物１７０に貼付し、照合対象物１７０に貼付された二次元バーコードラベル１７２と個人の指紋１７１との照合を１対１で行っていた。
しかし、実際輸血を行う際は、過去数週間で貯血された血液バッグ１７０は複数個存在し、図７（図中、１１１は個人識別装置、１２１は指紋照合ユニット）のように、複数の二次元バーコードラベル１７２を発行している場合、カルテなどに貼付されたものなどを含めるとバーコードラベル１７２と個人の指紋１７１との照合作業を何度も繰り返さなければならないため大変手間がかかる等の問題があった。そこで本発明者らは以上の課題を解決するために鋭意検討を重ねた結果次の発明に到達した。
【０００４】
【課題を解決するための手段】
［１］本発明は、個人の指紋情報、作業日時、個人の氏名・識別番号の属性情報、登録した指の情報及び照合対象物（７０）の情報を二次元バーコード形式に変換する手段（Ｂ）として、装置本体（１１）を有し、
前記患者個人の指紋の読み取り手段（Ａ）、及び該患者個人の指紋と照合対象物に貼り付けた二次元バーコード化された指紋情報の照合手段（Ｅ）として、指紋照合ユニット（２１）を有し、
前記二次元バーコードの印刷手段（Ｃ）、及び前記指紋の照合の印刷手段（Ｆ）として、ラベルプリンタ（４１）を有し、
前記二次元バーコードラベルの読み取り手段（Ｄ）として、コードスキャナ（１２）を有し、
前記装置本体（１１）は、前記コードスキャナ（１２）、表示部（１３）、記憶部（１４）、及び通信用部材（１６）を有し、
前記表示部（１３）は、作業者の命令の入力、指紋情報の読み取り、二次元バーコードラベルの読み取り、読み取った指紋情報同士の照合、ラベルの印刷命令、前記装置本体（１１）及び作業者の入力ミスによるエラー状態の表示、作業者の命令及び確認の受け取り、の作業をすることができ、
前記記憶部（１４）は前記装置本体（１１）内で動作するシステムを記憶し、当該システムが行った作業全てを作業記録として記憶し、
前記通信用部材（１６）は、無線または有線により、前記ラベルプリンタ（４１）、前記装置本体（１１）と別の装置本体（１１）、及び作業管理データベース（５１）、と通信を行うことができ、
前記指紋照合ユニット（２１）は、前記装置本体（１１）からの命令により、
〈Ａ〉指紋登録時には、個人の指紋の読み取りを行い、読み取った指紋情報を暗号化し、前記装置本体（１１）に送信し、
〈Ｂ〉照合時には、前記二次元バーコード化された個人の指紋情報を、前記装置本体（１１）から受け取り、暗号を解読し、前記〈Ａ〉の新たに読み取った個人の指紋情報と照合し、当該照合した結果を、前記装置本体（１１）に返信し、
前記ラベルプリンタ（４１）は、無線または有線により、前記装置本体（１１）と交信し、
〈ａ〉前記二次元バーコード、個人の氏名・識別番号の属性情報、登録した指の情報、を記載したラベル、
〈ｂ〉前記照合結果、作業日時、を記載したラベル、
の印刷を行い、
指紋登録作業において、
〈Ａ１−１〉作業者識別番号が記録された作業者ラベル（７４）のバーコードを装置本体（１１）に内蔵されたコードスキャナ（１２）を使用して読み取り、作業者を登録するステップ、または当該ステップ〈１−１〉に代えて、
〈Ａ１−２〉前記装置本体（１１）の表示部（１３）にキーを配置し、当該表示部（１３）に前記作業者識別番号を手入力するステップ、
〈Ａ２〉患者個人の指紋（７１）を指紋照合ユニット（２１）により取り込むステップ、
〈Ａ３〉前記〈２〉の指紋情報を指紋照合ユニット（２１）から装置本体（１１）に転送するステップ、
〈Ａ４−１〉前記作業管理用データベース（５１）に登録された患者個人の情報として、患者氏名、識別番号、性別、生年月日等を文字と二次元バーコードで記した書式を、前記作業管理用データベース（５１）に接続されたプリンタ（６２）より印刷し、当該印刷した二次元バーコードを前記装置本体（１１）に内蔵されたコードスキャナ（１２）で読み取り、患者の個人情報を取得するステップ、または当該ステップ〈Ａ４−１〉に代えて、
〈Ａ４−２〉装置本体（１１）の表示部（１３）に患者の属性を入力できる欄を表示し、作業者の指ないし棒状の治具を使用して患者の個人情報を取得するステップ、または前記ステップ〈Ａ４−１〉、〈Ａ４−２〉に代えて、
〈Ａ４−３〉前記装置本体（１１）の表示部（１３）に、登録を行った指を指定するボタンを表示しておき、作業者が登録を行った指を確認して入力するステップ、
〈Ａ５〉前記装置本体（１１）で、前記指紋情報と患者の個人情報および登録した指の情報を二次元バーコード形式に変換して、前記ラベルプリンタ（４１）で二次元バーコードラベル（７２）として印刷するステップ、
〈Ａ６〉前記二次元バーコードラベル（７２）を照合対象物（７０）に貼り付けるステップ、
以上の〈Ａ１〉から〈Ａ６〉のステップを行うことができ、
指紋照合作業において、
〈Ｂ１−１〉作業者識別番号が記録された作業者ラベル（７４）のバーコードを前記装置本体（１１）の前記コードスキャナ（１２）で読み取り、作業者を登録するステップ、または当該ステップ〈Ｂ１−１〉に代えて、
〈Ｂ１−２〉前記装置本体（１１）の表示部（１３）にキーを配置し、当該表示部（１３）で前記作業者識別番号を手入力するステップ、
〈Ｂ２〉前記指紋登録作業で、前記照合対象物（７０）に貼り付けた二次元バーコードラベル（７２）を前記装置本体（１１）の前記コードスキャナ（１２）で読み取るステップ、
〈Ｂ３〉取得した情報の中から指紋情報を前記指紋照合ユニット（２１）に転送するステップ、
〈Ｂ４〉患者個人の指紋を前記指紋照合ユニット（２１）に取り込んで、二次元バーコードより取得した指紋情報と照合するステップ、
〈Ｂ５〉指紋照合結果を前記指紋照合ユニット（２１）から前記装置本体（１１）に転送するステップ、
〈Ｂ６〉前記装置本体（１１）に取得された照合結果は、その時点の日時、作業を行った作業者等の事項を付加して文字形式で前記ラベルプリンタ（４１）で、照合結果ラベル（７３）として印刷するステップ、
以上の〈Ｂ１〉から〈Ｂ６〉のステップを行うことができる、個人識別装置（１）を提供する。
［２］本発明は、前記装置本体（１１）、前記指紋照合ユニット（２１）、及び前記ラベルプリンタ（４１）は、それぞれバッテリー（１５、２５、４５）を内蔵する［１］に記載の個人識別装置（１）を提供する。
［３］本発明は、前記装置本体（１１）、前記ラベルプリンタ（４１）、及び前記作業管理用データベース（５１）は、それぞれ相互に無線で通信できる通信用部材（１６、４６、５６）を内蔵する［１］または［２］に記載の個人識別装置（１）を提供する。
［４］本発明は、前記［１］から［３］のいずれか１項に記載の個人識別装置（１）を用いて、
〈１〉複数の照合対象物（７０）に貼り付けた複数の二次元バーコードラベル（７２）を、全て前記コードスキャナ（１２）により読み込むステップ、
〈２〉読み取った全ての前記複数の照合対象物（７０）のそれぞれの二次元バーコードラベル（７２）の情報が、全て同一人物のものであるか否かを、前記装置本体（１１）で照合するステップ、
〈３〉照合が一致しないものが少なくとも１つ以上存在する場合は、
〈３ａ１〉警告音を鳴らすステップ、もしくは当該ステップ〈３ａ１〉に代えて、
〈３ａ２〉前記表示部（１３）に警報を表示し、作業者に報知するステップ、または前記ステップ〈３ａ１〉、〈３ａ２〉に代えて、
〈３ｂ〉前記二次元バーコードラベル（７２）の情報の中から識別番号、名前、登録している指等の一致しない情報を抽出して前記表示部（１３）に表示させることにより、作業者にどの照合対象物が一致しているか否か、他に幾つ一致しないものがあるかを知らせるステップ、
〈４〉前記複数の二次元バーコードラベル（７２）の照合結果が一致していることを確認して、読み取られた複数の中から１つだけ選抜した二次元バーコードラベル（７２）の情報の中から指紋情報を取得し、前記指紋照合ユニット（２１）に転送するステップ、
〈５〉患者個人の指紋（７１）を前記指紋照合ユニット（２１）に取り込んで、前記二次元バーコードラベル（７２）より取得した指紋情報と照合するステップ、
〈６〉前記指紋照合結果を前記指紋照合ユニット（２１）から前記装置本体（１１）に転送するステップ、
〈７〉前記装置本体（１１）に取得された照合結果は、照合時の日時、作業を行った作業者、識別番号等の事項を付加して文字形式で、前記ラベルプリンタ（４１）で、照合結果ラベル（７３）として印刷するステップ、
以上のステップ〈１〉〜〈７〉を含む個人識別情報の照合方法を提供する。
【０００５】
【発明の実施の形態】
本発明の個人識別装置は、患者個人の指紋の読み取り手段Ａと、前記指紋情報及び／又はその他の情報、例えば作業日時や個人の氏名、識別番号等の属性情報もしくは登録した指の情報等の個人情報を二次元バーコード形式に変換する手段Ｂと、前記二次元バーコードの印刷手段Ｃと、照合対象物（血液バッグ、カルテ）を貼り付けた二次元バーコードラベルの読み取り手段Ｄと、患者個人の指紋と照合対象物に貼り付けた二次元バーコード化された指紋の照合手段Ｅと、前記指紋の照合結果の印刷手段Ｆから構成される。
本発明で、前記指紋情報を二次元バーコード形式に変換する手段Ｂとは装置本体１１であり、前記患者個人の指紋の読み取り手段Ａ及び該患者個人の指紋と照合対象物に貼り付けた二次元バーコード化された指紋の照合手段Ｅとは指紋照合ユニット２１であり、前記二次元バーコードの印刷手段Ｃ及び前記指紋の照合の印刷手段Ｆとはラベルプリンタ４１であり、前記二次元バーコードラベルの読み取り手段Ｄとは、コードスキャナ１２である。
【０００６】
図１は、本発明の個人識別装置１の一例を示す概略図である。
個人識別装置１は、装置本体１１と指紋照合ユニット２１と、前記装置本体１１に接続されるラベルプリンタ４１と、前記装置本体１１と作業管理用データベース５１を接続する本体接続器具３１と、前記作業管理用データベース５１とから構成される。
前記装置本体１１は、コードスキャナ１２、表示部１３、記憶部１４、バッテリー（二次電池）１５、通信用部材１６を内蔵する。
前記コードスキャナ１２は、一次元（例えば作業者のバーコード）、二次元のバーコードを読み取ることができる。例えばレーザー式を採用すればバーコードに直接接触させる必要が無いので、操作が容易となる。
前記表示部１３は、例えば作業者の指ないし棒状の治具（スタイラスペン等）による命令の入力を可能とした液晶タッチパネルを採用し、該液晶画面上に例えば指紋情報の読み取り、二次元バーコードラベルの読み取り、読み取った指紋情報同士の照合、およびラベルの印刷などの命令を記したボタンまたはツールバーや、装置および作業者の入力ミスによるエラー状態を表示し、指ないし棒状の治具を使用して、作業者の命令および確認を受け取ることができる。また音を発生させるブザーを配置して、作業者に対して作業の完了を通知したり、警告音と共に装置によるエラー或いは作業者のミスを指摘させることができる。
前記記憶部１４は、本体１１内で動作するシステムを記憶させている。また、システムが行った作業全て（入力ミスなども含む）を『作業記録』として記憶させておく。記憶部１４は例えばフラッシュＲＯＭ等の不揮発メモリーを採用することができる。
前記バッテリー１５により、本体装置１１を無線で作動させることができ、本体装置１１を小型化し携帯可能にすることができる。バッテリー１５として、例えばリチウムイオン充電式等の二次電池を採用することができる。また本体装置１１に着脱可能でかつ交換可能な電池も採用することができる。後述するバッテリー２５、４５もバッテリー１５と同様のバッテリーを採用することができる。
前記通信用部材１６として例えば赤外線通信部材（ＩｒＤＡ）を内蔵することにより無線でラベルプリンタ４１との通信や別の装置本体１１および作業管理データベース５１との通信を行うことができる。また通常のケーブルＣや本体接続器具３１を採用することにより有線で通信を行うことができる。後述する通信用部材４６、５６も前記通信用部材１６と同様の通信用部材を採用することができる。
また通信コネクタ１７を配置することにより本体接続器具３１の通信コネクタ３７と接続することができる。
【０００７】
前記指紋照合ユニット２１は、装置本体１１からの命令によって動作する。指紋登録時には個人の指紋の読み取りを行い、読み取った指紋情報を暗号化し、装置本体１１に送信する。照合時には装置本体１１が読み取った二次元バーコードに保存されていた個人の指紋情報を装置本体１１から受け取り、暗号を解読し、新たに読み取った個人の指紋情報と照合させる。その後照合した結果を装置本体１１に返信する。バッテリー２５（二次電池）を内蔵してこれにより作動し、小型で携行することができる。
前記本体接続器具３１は、前記装置本体１１をしっかりと収容できる形状に形成されている。（例えば装置本体１１の収納溝を有しており、該収納溝に装置本体１１の通信コネクタ１７を接続する通信コネクタ３７を配置している。）
またケーブルＣで接続された作業管理用データベース５１へ本体１１に記憶されている作業記録を送ったり、本体１１のバッテリー１５（二次電池）に充電を行うことができる。
前記ラベルプリンタ４１は、前記装置本体１１と専用のケーブルＣ或いは本体接続器具３１を使用した有線接続、または内蔵した通信用部材４６により光通信、電波通信などの無線によって交信し、患者の指紋と属性が含まれる二次元バーコード、文字、名前、生年月日、作業日時、指紋を登録している指等を記したラベル或いは照合を行った結果およびその作業日時を記した文字等を記載したラベルの印刷を行う。またバッテリー４５（二次電池）を内蔵してこれにより作動し、小型で携行することができる。
【０００８】
前記作業管理用データベース５１は、例えば汎用のパソコンが使用され、ハードディスクなどの記憶媒体などにより、装置本体１１内蔵の記憶部１４に記憶されている装置本体１１が行った全ての作業記録を、本体接続器具３１や内蔵した通信用部材５６により無線通信を通して受け取り管理する。また患者データの入力装置６３（例えば、キーボード、磁気カードリーダ、コードスキャナ、ＩＣリーダ等）を接続して、患者属性情報を入力する。また患者ファイルの作成と作業者の管理も行うことができる。
またラベルプリンタ６１を接続して、作業者ラベル（名前、登録番号）を印刷することができる。
また複数の装置本体１１を用いている場合は、装置本体１１に番号を割り付け、どの装置本体１１で行った作業かを確認できるようにする。前記データベースではその記録を参照し、プリンタ６２では、患者属性情報を二次元バーコード化し、また文字により記した書式、装置本体１１の作業履歴とその詳細な内容を印刷することもできる。また輸血管理システム施設内ネットワーク６４に接続して、関係者による閲覧も可能である。
【０００９】
次に、個人識別装置１の操作方法の一例について説明する。
（指紋登録作業：図２参照）
▲１▼作業者識別番号が記録された作業者ラベル７４のバーコードを装置本体１１に内蔵されたコードスキャナ１２を使用して読み取り、作業者を登録する。
また、前記装置本体１１の表示部１３にキーを配置し、そこで番号等を手入力することも可能である。
▲２▼患者個人の指紋７１を指紋照合ユニット２１により取り込む。
▲３▼▲２▼の指紋情報を指紋照合ユニット２１から装置本体１１に転送する。
▲４▼入力装置６３から作業管理用データベース５１に登録された患者個人の情報、例えば患者氏名、識別番号、性別、生年月日等を文字と二次元バーコードで記した書式（図４参照）をプリンタ６２より印刷したものから二次元バーコードを装置本体１１に内蔵されたコードスキャナ１２で読み取り、患者の個人情報を取得するか、装置本体１１の表示部１３に患者の属性を入力できる欄を表示し、作業者の指ないし棒状の治具（スタイラスペン等）を使用して患者の個人情報を取得することができる。また装置本体１１の表示部１３には登録を行った指（例えば『右手の人差し指』）を指定するボタンを表示しておき、作業者が登録を行った指を確認して入力できる。
▲５▼装置本体１１で、前記指紋情報と患者の個人情報および登録した指の情報を二次元バーコード形式に変換して、ラベルプリンタ４１で二次元バーコードラベル７２として印刷する。
▲６▼二次元バーコードラベル７２を照合対象物７０（例えば血液バッグ、カルテ、輸血管理ファイル等）に貼り付ける。
【００１０】
（指紋照合作業：図３参照）
▲１▼作業者識別番号等が記録された作業者ラベル７４のバーコードを装置本体１１に内蔵されたコードスキャナ１２で読み取り、作業者を登録する。
また、前記装置本体１１の表示部１３にキーを配置し、そこで番号等を手入力することも可能である。
▲２▼前記指紋登録作業で、照合対象物７０に貼り付けた二次元バーコードラベル７２を装置本体１１に内蔵されたコードスキャナ１２で読み取る。
▲３▼取得した情報の中から指紋情報を指紋照合ユニット２１に転送する。また登録した指の情報を表示部１３に表示して、照合を行う指を指示する。
▲４▼患者個人の指紋を指紋照合ユニット２１に取り込んで、二次元バーコードより取得した指紋情報と照合する。
▲５▼指紋照合結果を指紋照合ユニット２１から装置本体１１に転送する。
▲６▼装置本体１１に取得された照合結果は、その時点の日時、作業を行った作業者などの事項を付加して文字形式でラベルプリンタ４１で、照合結果ラベル７３として印刷する。
【００１１】
本発明の個人識別情報の照合方法について説明する。本発明の個人識別情報の照合方法に使用される個人識別装置は、少なくとも患者個人の指紋の読み取り手段Ａと、前記指紋情報及び／又はその他の情報、例えば作業日時や個人の氏名、識別番号等の属性情報もしくは登録した指の情報等の個人情報を二次元バーコード形式に変換する手段Ｂと、照合対象物（血液バッグ、カルテ）に貼り付けた二次元バーコードラベル等の読み取り手段Ｄと、患者個人の指紋と照合対象物に貼り付けた二次元バーコード化された指紋情報の照合手段Ｅで構成されておれば良く、図１ないし図３、図５に記載した個人識別装置に限定されるものではない。なお必要により、前記二次元バーコードの印刷手段Ｃと前記指紋と前記指紋情報の照合結果の印刷手段Ｆを含んでいても良い。
前記指紋情報及び／又は前記その他の情報等を二次元バーコード形式に変換する手段Ｂとは装置本体１１であり、前記患者個人の指紋の読み取り手段Ａ及び該患者個人の指紋と照合対象物に貼り付けた二次元バーコード化された指紋の照合手段Ｅとは指紋照合ユニット２１であり、前記二次元バーコードの印刷手段Ｃ及び前記照合結果の印刷手段Ｆとはラベルプリンタ４１であり、前記二次元バーコードラベルの読み取り手段Ｄとは、コードスキャナー１２である。
【００１２】
次に本発明の個人識別情報の照合方法について説明する。
本発明は、
（１）照合対象物に貼り付けた複数の二次元バーコードラベルを、該ラベルの前記読み取り手段Ｄにより読み込むステップ、
（２）複数の二次元バーコードラベルが全て一致していることを確認して、患者個人の指紋と照合対象物に貼り付けた二次元バーコード化された指紋情報を前記照合手段Ｅにより照合を行うステップ、
少なくとも以上のステップを含む個人識別情報の照合方法である。
【００１３】
さらに図５を参照しながら本発明の個人識別情報の照合方法の一例について説明する。
（１）照合する必要がある複数の照合対象物（血液バッグ）７０に貼り付けた複数の二次元バーコードラベル７２を、全てコードスキャナ１２により読み込む。
（２）読み取った全ての照合対象物の二次元バーコードラベル７２の情報（指紋及び識別番号、氏名などの属性）が、全て同一人物のものであるか照合する。このとき、照合は装置本体１１で行う。
（３）照合が一致しないものが少なくとも１つ以上存在する場合は、警告音を鳴らしたり表示部１３に警報を表示したりして作業者に報知することができる。さらにその二次元バーコードラベル７２の情報の中から識別番号や名前、登録している指等の一致しない情報を抽出して表示部１３に表示させることにより、作業者にどの照合対象物が一致していないか、他に幾つ一致しないものがあるかを知らしめることができる。
（４）全ての二次元バーコードラベル７２の照合結果が一致していることを確認して、読み取られた複数の中から１つだけ選抜した二次元バーコードラベル７２の情報の中から指紋情報を取得し、指紋照合ユニット２１に転送する。また、登録した指の情報を表示部１３に表示して、照合を行う指を指示する。
（５）患者個人の指紋７１を指紋照合ユニット２１に取り込んで、二次元バーコードラベル７２より取得した指紋情報と照合する。
（６）指紋照合結果を指紋照合ユニット２１から装置本体１１に転送する。
（７）装置本体１１に取得された照合結果は、その時点の日時、作業を行った作業者、識別番号などの事項を付加して文字形式でラベルプリンタ４１で、照合結果ラベル７３として印刷する。
【００１４】
【発明の作用効果】
本発明の個人識別装置では、
▲１▼装置全体を小型化軽量化し、また、装置本体、指紋照合ユニット、ラベルプリンタをバッテリーで作動させることにより、携帯可能にすることができる。
▲２▼また、装置本体は無線による通信部材を内蔵することにより、作業記録の共有を必要時何時いかなる場所でも行うことができる。
本発明の個人識別情報の識別方法では、
▲３▼照合作業を行う際、従来のように登録者の指紋を複数回抽出する必要がなく、登録者の指紋の抽出が一照合作業に一回で良い。
【図面の簡単な説明】
【図１】本発明の個人識別装置の概略図
【図２】本発明の個人識別装置の使用例を示す概略図
【図３】本発明の個人識別装置の使用例を示す概略図
【図４】患者個人情報を二次元バーコードと文字で記載した書式の一例を示す概略図
【図５】本発明の個人識別情報の照合方法の一例を示す概略図
【図６】従来の個人識別情報の照合方法の一例を示す概略図
【図７】従来の個人識別情報の照合方法の一例を示す概略図
【符号の説明】
１  個人識別装置
１１  本体
１２  コードスキャナ
１３  表示部
１４  記憶部
１５  バッテリー
１６  通信用部材
１７  通信コネクタ
２１  指紋照合ユニット
２５  バッテリー
３１  本体接続器具
３７  通信コネクタ
４１  ラベルプリンタ
４５  バッテリー
４６  通信用部材
５１  作業管理用データベース
５６  通信用部材
６１  ラベルプリンタ
６２  プリンタ
６３  入力装置
６４  ネットワーク
７０  照合対象物
７１  個人の指紋
７２  二次元コードラベル
７３  照合結果ラベル
７４  作業者ラベル
Ｃ  ケーブル
【図１】
0005015390.tif 000002
【図２】
0005015390.tif 000003
【図３】
0005015390.tif 000004
【図４】
0005015390.tif 000005
【図５】
0005015390.tif 000006
【図６】
0005015390.tif 000007
【図７】
0005015390.tif 000008